(57)【要約】【課題】特定のユーザを優先的に駐車スペースに案内できるようにする。【解決手段】駐車スペース案内装置２は、複数の端末３−１〜３−ｎのうちの一の端末から、駐車スペースを案内することを求めるリクエスト信号を受信したときに、駐車スペースを譲ることを依頼する依頼先端末を決定すると共に、依頼先端末に対して駐車スペースを譲ることを依頼する依頼信号を送信し、依頼先端末から駐車スペースを譲る意志を表す応諾信号を受信したときに、一の端末に対して依頼先車両が占有している駐車スペースの位置を含む依頼成立信号を送信し、依頼先車両が占有していた駐車スペースへの駐車が可能になったことを表す移動完了信号、又はその駐車スペースに依頼元車両が駐車したことを表す駐車完了信号を受信したときに、一の端末のユーザが保有する経済的価値を減らすと共に、依頼先端末のユーザが保有する経済的価値を増やすように構成される。【選択図】図１
2019212035.tif 000002
【特許請求の範囲】
【請求項１】
互いに異なる車両と関連付けられた複数の端末と通信可能な通信部と、
前記複数の端末のそれぞれのユーザ、又は前記複数の端末と関連付けられたそれぞれの車両が保有する経済的価値を表す情報と、前記複数の端末と関連付けられたそれぞれの車両が駐車スペースに駐車しているときのその駐車スペースの位置と、を記憶する記憶部と、
駐車スペースの案内処理を実行する制御部と、
を備える駐車スペース案内装置であって、
前記制御部は、
前記複数の端末のうちの一の端末から、駐車スペースを案内することを求めるリクエスト信号を受信したときに、前記複数の端末のうちの駐車中の車両と関連付けられた他の端末の中から、駐車スペースを譲ることを依頼する依頼先端末を決定すると共に、前記依頼先端末に対して駐車スペースを譲ることを依頼する依頼信号を送信し、
前記依頼先端末から駐車スペースを譲る意志を表す応諾信号を受信したときに、前記一の端末に対して前記依頼先端末と関連付けられた依頼先車両が占有している駐車スペースの位置を含む依頼成立信号を送信し、
前記依頼先車両が占有していた駐車スペースへの駐車が可能になったことを表す移動完了信号、又はその駐車スペースに前記一の端末と関連付けられた依頼元車両が駐車したことを表す駐車完了信号を受信したときに、前記一の端末のユーザ、又は前記依頼元車両が保有する経済的価値を減らすと共に、前記依頼先端末のユーザ、又は前記依頼先車両が保有する経済的価値を増やすように構成される、
駐車スペース案内装置。
【請求項２】
前記制御部は、
前記リクエスト信号を受信したときに、前記他の端末に対して駐車スペースを譲ることができるか否かを問い合わせる問い合わせ信号を送信し、
前記問い合わせ信号に対して肯定的な通知を含む譲渡可能信号を返信してきた端末と関連付けられた車両の中で、前記依頼元車両の目的地と最も近い場所に位置する車両と関連付けられている端末を、前記依頼先端末とする、
請求項１に記載の駐車スペース案内装置。
【請求項３】
前記依頼信号には、前記依頼先車両が占有している駐車スペースに、前記依頼元車両が到着する予想時刻が含まれる、
請求項１又は請求項２に記載の駐車スペース案内装置。
【請求項４】
駐車スペースを利用しようとする依頼元のユーザから駐車スペースの案内を希望するリクエストを受け付けたときに、駐車スペースを占有している他のユーザに対して、経済的対価を支払うことを条件にその駐車スペースからの移動を依頼し、
前記依頼が成立したときに、前記依頼元のユーザを、前記他のユーザが占有していた駐車スペースに案内する、
駐車スペース案内方法。
【請求項５】
前記依頼の成立後、前記他のユーザが占有していた駐車スペースを、前記他のユーザが駐車可能な状態にしたときに、前記経済的対価の授受を行う、
請求項４に記載の駐車スペース案内方法。
【請求項６】
前記依頼の成立後、前記他のユーザが占有していた駐車スペースを、前記依頼元のユーザが占有したときに、前記経済的対価の授受を行う、
請求項４に記載の駐車スペース案内方法。
【発明の詳細な説明】
【技術分野】
【０００１】
本発明は駐車スペース案内装置及び駐車スペース案内方法に関する。
【背景技術】
【０００２】
特許文献１には、駐車場に設置された駐車管理装置と、車両と、の間で通信して駐車場の空いている駐車スペースに車両を誘導する駐車場案内システムが開示されている。
【先行技術文献】
【特許文献】
【０００３】
【特許文献１】特開２０１２−０６８９３９号公報
【発明の概要】
【発明が解決しようとする課題】
【０００４】
空いている駐車スペースへの駐車を希望する度合いは、各車両のドライバに応じて異なり、例えばドライバの中には、経済的対価を支払ってでも他車よりも早く自車を駐車スペースに駐車することを希望しているドライバがいることも考えられる。しかしながら、前述した従来の駐車場案内システムは、各車両を一律に空いている各駐車スペースに誘導するものであったため、特定のドライバを優先的に空いている駐車スペースに案内することができなかった。
【０００５】
本発明はこのような問題点に着目してなされたものであり、特定のユーザ（例えばドライバ）を優先的に駐車スペースに案内できるようにすることを目的とする。
【課題を解決するための手段】
【０００６】
上記課題を解決するために、本発明のある態様による駐車スペース案内装置は、互いに異なる車両と関連付けられた複数の端末と通信可能な通信部と、複数の端末のそれぞれのユーザ又は複数の端末と関連付けられたそれぞれの車両が保有する経済的価値を表す情報、及び複数の端末と関連付けられたそれぞれの車両が駐車スペースに駐車しているときのその駐車スペースの位置を記憶する記憶部と、駐車スペースの案内処理を実行する制御部と、を備える。制御部は、複数の端末のうちの一の端末から、駐車スペースを案内することを求めるリクエスト信号を受信したときに、複数の端末のうちの駐車中の車両と関連付けられた他の端末の中から、駐車スペースを譲ることを依頼する依頼先端末を決定すると共に、依頼先端末に対して駐車スペースを譲ることを依頼する依頼信号を送信し、依頼先端末から駐車スペースを譲る意志を表す応諾信号を受信したときに、一の端末に対して依頼先端末と関連付けられた依頼先車両が占有している駐車スペースの位置を含む依頼成立信号を送信し、依頼先車両が占有していた駐車スペースへの駐車が可能になったことを表す移動完了信号、又はその駐車スペースに一の端末と関連付けられた依頼元車両が駐車したことを表す駐車完了信号を受信したときに、一の端末のユーザ、又は依頼元車両が保有する経済的価値を減らすと共に、依頼先端末のユーザ、又は依頼先車両が保有する経済的価値を増やすように構成される。
【０００７】
また本発明のある態様による駐車スペース案内方法は、駐車スペースを利用しようとする依頼元のユーザから駐車スペースの案内を希望するリクエストを受け付けたときに、駐車スペースを占有している他のユーザに対して、経済的対価を支払うことを条件にその駐車スペースからの移動を依頼し、その依頼が成立したときに、依頼元のユーザを、他のユーザが占有していた駐車スペースに案内する。
【発明の効果】
【０００８】
本発明のこれらの態様によれば、経済的対価の支払いを条件として、特定の車両のユーザや当該車両と関連付けられた端末のユーザを優先的に駐車スペースに案内することができる。
【図面の簡単な説明】
【０００９】
【図１】図１は、本発明の第１実施形態による駐車スペース案内システムの概略構成図である。
【図２】図２は、サーバの概略構成図である。
【図３】図３は、端末の概略構成図である。
【図４】図４は、駐車スペース案内システムにおいて、駐車スペース案内処理が実行される際の状況の一例を示す図である。
【図５】図５は、本発明の第１実施形態による駐車スペース案内処理の動作シーケンスの一例を示す図である。
【図６】図６は、本発明の第１実施形態による駐車スペース案内処理のうちのサーバに関連する処理について説明するフローチャートである。
【図７】図７は、本発明の第２実施形態による駐車スペース案内処理の動作シーケンスの一例を示す図である。
【図８】図８は、本発明の第２実施形態による駐車スペース案内処理のうちのサーバに関連する処理について説明するフローチャートである。
【発明を実施するための形態】
【００１０】
以下、図面を参照して本発明の実施形態について詳細に説明する。なお、以下の説明では、同様な構成要素には同一の参照番号を付す。
【００１１】
（第１実施形態）
図１は、本発明の第１実施形態による駐車スペース案内システム１の概略構成図である。
【００１２】
駐車スペース案内システム１は、駐車スペース案内装置の一例であるサーバ２と、複数の端末３−１〜３−ｎ（ｎは３以上の整数）と、を備える。端末３−１は、車両４−１と関連付けられている。同様に、端末３−２〜３−ｎのそれぞれも、車両４−２〜４−ｎと関連付けられている。
【００１３】
サーバ２は、光通信回線などで構成される通信ネットワーク５とゲートウェイ（図示せず）などを介して接続される。また各端末３−１〜３−ｎは、通信ネットワーク５とゲートウェイなどを介して接続される無線基地局６にアクセスすることで、無線基地局６を介して通信ネットワーク５と接続される。すなわちサーバ２と複数の端末３−１〜３−ｎとは、通信ネットワーク５を介して互いに通信可能となっている。
【００１４】
各端末３−１〜３−ｎは、例えば、携帯電話機やタブレットコンピュータなどの無線通信機能を有する携帯端末、又は車載のナビゲーションシステムである。なお、各端末３−１〜３−ｎは、全て同一種類の機器であってもよいし、互いに異なる種類の機器であってもよい。例えば、端末３−１が携帯電話機であり、端末３−２が、端末３−２と関連付けられる車両４−２に搭載されたナビゲーションシステムであってもよい。
【００１５】
各端末３−１〜３−ｎは、各端末３−１〜３−ｎと関連付けられた各車両４−１〜４−ｎが駐車されると、その駐車位置と、駐車状態になったことと、を含む駐車信号を生成し、その駐車信号をサーバ２へ送信する。
【００１６】
駐車信号の生成にあたって、各端末３−１〜３−ｎは、例えば、受信したグローバル・ポジショニング・システム（ＧＰＳ）信号に基づいて測定される各端末３−１〜３−ｎの現在位置を、各車両４−１〜４−ｎの駐車位置とすることができる。
【００１７】
また、各端末３−１〜３−ｎが車載のナビゲーションシステムである場合には、例えば、各車両４−１〜４−ｎの起動スイッチがオフにされてナビゲーションシステムが停止されたときに、各車両４−１〜４−ｎが駐車状態になったと判断することができる。一方で、各端末３−１〜３−ｎが車載のナビゲーションシステムとは異なる機器である場合には、例えばブルートゥース（登録商標）といった所定の近距離無線用の通信規格に準拠した近距離無線通信によって各車両４−１〜４−ｎの起動スイッチがオフ状態になったことを検出することで、各車両４−１〜４−ｎが駐車状態になったと判断することができる。
【００１８】
本実施形態による駐車スペース案内システム１は、駐車スペースを利用しようとするユーザから駐車スペースの案内を希望するリクエストを受け付けたときに、駐車スペースを占有しているユーザに対して、経済的対価を支払うことを条件にその駐車スペースからの移動を依頼することで、駐車スペースを利用しようとする特定のユーザを、駐車スペースからの移動を依頼されたユーザが占有していた駐車スペースに優先的に案内する駐車スペース案内処理を実行する。以下、図２及び図３を参照して、サーバ２及び各端末３−１〜３−ｎの詳細な構成について説明した後、図４から図６を参照して、この駐車スペース案内処理の詳細について説明する。
【００１９】
図２は、サーバ２の概略構成図である。
【００２０】
図２に示すように、サーバ２は、通信インターフェース２１と、ストレージ装置２２と、メモリ２３と、プロセッサ２４と、を備える。通信インターフェース２１、ストレージ装置２２及びメモリ２３は、プロセッサ２４と信号線を介して接続される。サーバ２は、キーボード及びマウスといった入力装置や、ディスプレイといった出力装置をさらに備えていてもよい。
【００２１】
通信インターフェース２１は、通信部の一例であり、サーバ２を通信ネットワーク５に接続するためのインターフェース回路を備え、各端末３−１〜３−ｎのそれぞれと通信ネットワーク５を介して通信可能に構成される。
【００２２】
ストレージ装置２２は、記憶部の一例であり、例えば、ハードディスク装置又は光記録媒体と、そのアクセス装置と、を備える。
【００２３】
ストレージ装置２２は、各端末３−１〜３−ｎの識別情報と、各端末３−１〜３−ｎに関連付けられた各車両４−１〜４−ｎの識別情報、現在位置及び駐車状態か否かを表すフラグと、を対応付けて記憶する。各端末３−１〜３−ｎの識別情報は、例えば、ＭＡＣアドレスとすることができる。各車両４−１〜４−ｎの識別情報は、例えば、各車両４−１〜４−ｎの車両ナンバーとすることができる。
【００２４】
またストレージ装置２２は、各端末３−１〜３−ｎのユーザの氏名やユーザ番号、経済的価値を表すポイント情報などを記憶する。またストレージ装置２２は、地図情報を記憶する。なお本実施形態では、経済的価値を表すポイント情報を、各端末３−１〜３−ｎのユーザが所有している例を示しているが、これに限らず経済的価値を表すポイント情報は、例えば各端末３−１〜３−ｎと関連付けられた各車両４−１〜４−ｎが所有していてもよい。
【００２５】
メモリ２３は、記憶部の他の一例であり、例えば、不揮発性の半導体メモリと、揮発性の半導体メモリと、を備える。そしてメモリ２３は、駐車スペース案内処理を実行中に生成される各種データなどを記憶する。
【００２６】
プロセッサ２４は、制御部の一例であり、１個又は複数個のＣＰＵ(Central Processing Unit)と、その周辺回路と、を備える。プロセッサ２４は、論理演算ユニットや数値演算ユニットといった他の演算回路をさらに備えていてもよい。そしてプロセッサ２４は、駐車スペース案内処理のうちのサーバ２に関連する処理を実行する。この駐車スペース案内処理のうちのサーバ２に関連する処理については、図６を参照して後述する。
【００２７】
次に、図３を参照して各端末３−１〜３−ｎの詳細について説明する。なお、駐車スペース案内処理に関連する構成に関しては、各端末３−１〜３−ｎは同一の構成となっているので、ここでは、端末３−１の構成を代表して説明する。
【００２８】
図３は、端末３−１の概略構成図である。
【００２９】
端末３−１は、ユーザインターフェース３１と、無線通信回路３２と、位置測定回路３３と、メモリ３４と、プロセッサ３５と、を備える。端末３−１は、車載の機器と無線通信するための近距離無線通信回路（図示せず）をさらに備えていてもよい。
【００３０】
ユーザインターフェース３１は、例えば、タッチパネルディスプレイである。ユーザインターフェース３１は、ユーザによって駐車スペース案内処理に関連する操作（例えば、駐車スペースの案内に関するアプリケーションの起動など）に応じた信号を生成し、その信号をプロセッサ３５へ出力する。またユーザインターフェース３１は、プロセッサ３５から受け取った各種の表示用の情報を表示する。
【００３１】
無線通信回路３２は、例えば、アンテナと、無線信号の変調及び復調といった無線通信に関連する各種の処理を実行する信号処理回路と、を備える。無線通信回路３２は、無線基地局６からダウンリンクの無線信号を受信し、また、アップリンクの無線信号を無線基地局６へ送信する。すなわち、無線通信回路３２は、無線基地局６から受信したダウンリンクの無線信号から、サーバ２から端末３−１へ伝送される信号を取り出してプロセッサ３５へわたす。また無線通信回路３２は、プロセッサ３５から受け取ったサーバ２へ送信される信号を含むアップリンクの無線信号を生成し、その無線信号を送信する。
【００３２】
位置測定回路３３は、端末３−１の位置を表す情報を取得する。位置測定回路３３は、例えば、ＧＰＳ信号を受信する受信機と、ＧＰＳ信号から端末３−１の位置を算出する演算回路と、を備える。位置測定回路３３は、ＧＰＳ信号に基づいて端末３−１の位置を測定し、端末３−１の位置を測定する度にその位置をプロセッサ３５へ通知する。
【００３３】
メモリ３４は、例えば、読み書き可能な不揮発性の半導体メモリと、読み書き可能な揮発性の半導体メモリと、を備える。メモリ３４は、プロセッサ３５上で実行される各種のアプリケーションプログラム及び各種のデータを記憶する。またメモリ３４は、駐車スペース案内処理の実行に関連する各種のデータを記憶する。
【００３４】
プロセッサ３５は、１個又は複数個のＣＰＵと、その周辺回路と、を備える。プロセッサ３５は、論理演算ユニットや数値演算ユニットといった他の演算回路をさらに備えていてもよい。プロセッサ３５は、駐車スペース案内処理のうちの端末３−１に関連する処理を実行する。例えば、プロセッサ３５は、ユーザによる操作に応じて、サーバ２へ送信する信号を生成し、生成したその信号を無線通信回路３２へ出力する。
【００３５】
図４は、駐車スペース案内システム１において、駐車スペース案内処理が実行される際の状況の一例を示す図である。図４に示す例では、車両４−１のドライバが、車両４−１を駐車するための駐車スペースを探している。そして車両４−１の目的地の周辺に位置する駐車スペース２０１、２０２に、車両４−２、４−３がそれぞれ駐車している。
【００３６】
図５は、駐車スペース案内処理の動作シーケンスの一例を示す図であり、図４に示した状況において、車両４−１のドライバ、すなわち車両４−１に関連付けられた端末３−１のユーザが駐車スペースを案内してもらうことを希望し、車両４−２のドライバ、すなわち車両４−２に関連付けられた端末３−２のユーザが駐車スペースを譲る意志を示した場合の駐車スペース案内処理の流れを示す図である。
【００３７】
なお以下の説明では、便宜上、必要に応じて、駐車スペースを案内してもらうことを希望しているユーザの端末を「依頼元端末」といい、その依頼元端末に関連付けられた車両のことを「依頼元車両」という。また、占有している駐車スペースからの移動、すなわち駐車スペースを譲ることを依頼されたユーザの端末のことを「依頼先端末」といい、その依頼先端末に関連付けられた車両のことを「依頼先車両」という。したがって、図４に示した状況では、端末３−１が依頼元端末となり、端末３−２が依頼先端末となる。また車両４−１が依頼元車両となり、車両４−２が依頼先車両となる。
【００３８】
ステップＳ１において、端末３−１のユーザによって、端末３−１が操作されて駐車スペースを案内することを希望するリクエスト操作が行われると、端末３−１はリクエスト信号を生成し、そのリクエスト信号をサーバ２へ送信する。リクエスト操作は、例えば端末３−１上で動作する駐車スペース案内用アプリケーションを通じて行うことができる。
【００３９】
端末３−１によって生成されるリクエスト信号には、端末３−１の識別情報と、端末３−１と関連付けられた車両４−１の現在位置及び目的地と、が含まれる。
【００４０】
リクエスト信号の生成にあたって、端末３−１は、例えば、受信したグローバル・ポジショニング・システム（ＧＰＳ）信号に基づいて測定される端末３−１の現在位置を、車両４−１の現在位置とすることができる。
【００４１】
また端末３−１は、その端末３−１が車両４−１に搭載されたナビゲーションシステムである場合には、ナビゲーションシステムにおいて設定された目的地を車両４−１の目的地とすることができる。
【００４２】
一方で端末３−１は、その端末３−１が車両４−１に搭載されたナビゲーションシステムとは異なる機器である場合には、例えば端末３−１上で動作するナビゲーション用アプリケーションにおいて設定された目的地を車両４−１の目的地とすることができる。また端末３−１は、例えばブルートゥース（登録商標）といった所定の近距離無線用の通信規格に準拠した近距離無線通信によって、車両４−１に搭載されたナビゲーションシステムから取得した目的地を車両４−１の目的地としてもよい。また端末３−１は、端末３−１上で動作する駐車スペース案内用アプリケーションを通じてユーザが入力した目的地を車両４−１の目的地としてもよい。
【００４３】
ステップＳ２において、サーバ２は、端末３−１からリクエスト信号を受信すると、リクエスト信号に含まれる車両４−１の目的地から所定範囲内にある駐車スペースに駐車している他の車両（以下「駐車車両」という。）を特定する。
【００４４】
例えばサーバ２は、駐車位置を記憶している車両のうち、車両４−１の目的地から所定距離以内（例えば２００［ｍ］以内）を所定範囲内として、その所定距離以内の位置に駐車している車両を、駐車車両として特定することができる。またサーバ２は、駐車位置を記憶している車両のうち、車両４−１の目的地の駐車場を所定範囲として、その駐車場内に駐車している車両を、駐車車両として特定してもよい。この場合には、サーバ２は、サーバ２が記憶している地図情報を参照して、車両４−１の目的地の駐車場の範囲を特定し、駐車位置を記憶している車両ごとに、その車両の駐車位置が特定した駐車場の範囲内に含まれるか否かを判定することで、車両４−１の目的地の駐車場内に駐車している車両を特定すればよい。
【００４５】
ステップＳ３において、サーバ２は、特定した駐車車両（この例では車両４−２、４−３）と関連付けられた端末（この例では端末３−２、３−３）に対して、駐車スペースを譲ることができるか否かを問い合わせる問い合わせ信号を送信する。
【００４６】
ステップＳ４において、問い合わせ信号を受信した端末（この例では端末３−２、３−３）は、駐車スペースを譲ることができる可能性がある場合には、その旨の通知と、当該端末と関連付けられた車両の駐車位置と、を含む譲渡可能信号をサーバ２に返信する。なおこの例では、端末３−２のみが、譲渡可能信号をサーバ２に返信している。
【００４７】
問い合わせ信号を受信した端末は、当該端末と関連付けられた車両のイグニッションスイッチ等の起動スイッチがＯＮ状態であって走行可能な状態である場合や、当該端末と関連付けられた車両のナビゲーションシステムにおいて目的地設定が行われている場合に、譲渡可能信号をサーバ２に返信することができる。また問い合わせ信号を受信した端末は、当該端末のユーザによって、自身の駐車スペースを譲ってもよいことが当該端末に入力されたときに、譲渡可能信号をサーバ２に返信してもよい。
【００４８】
ステップＳ５において、サーバ２は、問い合わせ信号を送信してから一定期間内（例えば１０分以内）に譲渡可能信号を返信した端末の中から、駐車スペースを譲ることを依頼する依頼先端末を決定する。
【００４９】
具体的にはサーバ２は、譲渡可能信号を返信した端末が１つである場合には、その端末を依頼先端末に設定する。またサーバ２は、譲渡可能信号を返信した端末が複数ある場合には、複数の端末のうち、譲渡可能信号に含まれる各端末と関連付けられた各車両の駐車位置に基づいて、車両４−１の目的地から最も近い位置に駐車している車両と関連付けられた端末を、依頼先端末に設定する。一方でサーバ２は、譲渡可能信号を返信した端末が１つも無い場合には、案内できる駐車スペースが無いことを通知する依頼不成立信号を依頼元端末へ送信する。
【００５０】
この例では、譲渡可能信号を返信したのが端末３−２だけなので、サーバ２は端末３−２を依頼先端末に設定している。
【００５１】
ステップＳ６において、サーバ２は、車両４−１（依頼元車両）の現在位置と、端末３−２（依頼先端末）から返信された譲渡可能信号に含まれる車両４−２（依頼先車両）の駐車位置と、に基づいて、車両４−１が車両４−２の駐車位置に到着する予想時刻（以下「予想到着時刻」という。）を算出する。
【００５２】
ステップＳ７において、サーバ２は、端末３−２に対し、予想到着時刻までに駐車スペースを譲ることを依頼する依頼信号を送信する。
【００５３】
ステップＳ８において、依頼信号を受信した端末３−２のユーザは、自身の駐車スペースを譲ってもよいか否かを自身の端末へ入力する。このとき、駐車スペースを譲ってもよいことが入力された場合には、端末３−２は応諾信号をサーバ２に返信する。一方で、駐車スペースを譲らないことが入力された場合には、端末３−２は拒否信号をサーバ２に返信する。
【００５４】
この例では、端末３−２のユーザによって、駐車スペースを譲ってもよいことが入力されたため、端末３−２は応諾信号をサーバ２に返信している。
【００５５】
ステップＳ９において、サーバ２は、依頼信号を送信してから一定期間内（例えば１０分以内）に応諾信号を受信した場合には、車両４−２（依頼先車両）の駐車位置を含む依頼成立信号を端末３−１（依頼元端末）に送信する。一方でサーバ２は、拒否信号を受信した場合、又は一定期間の間に端末３−２からの返信がなかった場合には、依頼不成立信号を端末３−１に送信すると共に、端末３−２を依頼先端末の候補から除外した上で、ステップＳ５に戻り、再度、依頼先端末の決定を行う。
【００５６】
この例では、サーバ２は、依頼信号を送信してから一定期間内に端末３−２から応諾信号を受信したため、端末３−１に依頼成立信号を送信している。
【００５７】
ステップＳ１０において、端末３−２（依頼先端末）は、端末３−２と関連付けられた車両４−２（依頼先車両）が駐車スペースから移動すると、移動が完了したことを通知する移動完了信号をサーバ２に送信する。
【００５８】
例えば端末３−２は、端末３−２と関連付けられた車両４−２の位置が駐車時の位置から所定距離（例えば、駐車スペースの長手方向よりも大きい距離、例えば、５［ｍ］〜１０［ｍ］）以上離れると、車両４−２が駐車スペースから移動したと判定することができる。車両４−２が駐車スペースから移動したか否かの判断は、例えば、受信したＧＰＳ信号に基づいて測定される端末３−２の現在位置を、車両４−２の位置として判断すればよい。またこのような方法以外にも、例えば車両４−２がカメラを備える場合には、カメラによって得られた画像に基づいて、車両４−２が駐車スペースから移動したことを判断してもよい。
【００５９】
ステップＳ１１において、サーバ２は、移動完了信号を受信すると、端末３−１（依頼元端末）のユーザ、及び端末３−２（依頼先端末）のユーザがそれぞれ所有するポイント（経済的価値）を更新する。具体的にはサーバ２は、端末３−１のユーザが所有するポイントから、駐車スペースを譲り受けたことに対する対価の額と、手数料と、の合計に相当するポイントを減算する。またサーバ２は、端末３−２のユーザが所有するポイントに、駐車スペースを譲ったことに対する対価の額を加算する。
【００６０】
このときサーバ２は、減算後のポイントを端末３−１（依頼元端末）に通知してもよい。またサーバ２は、加算後のポイントを端末３−２（依頼先端末）に通知してもよい。
【００６１】
図６は、駐車スペース案内処理のうちのサーバ２に関連する処理について説明するフローチャートである。プロセッサ２４は、サーバ２がリクエスト信号を受信したときに、本ルーチンに従って、駐車スペース案内処理のうちのサーバ２に関連する処理を実行する。
【００６２】
ステップＳ１０１において、プロセッサ２４は、リクエスト信号に含まれる依頼元車両の目的地と、ストレージ装置２２に記憶されている駐車中の各車両の現在位置と、に基づいて、依頼元車両の目的地の周辺の所定範囲内の駐車スペースに駐車している駐車車両が有るか否か判定する。プロセッサ２４は、駐車車両が無かった場合には、ステップＳ１０２の処理に進む。一方でプロセッサ２４は、駐車車両が有った場合には、ステップＳ１０３の処理に進む。
【００６３】
ステップＳ１０２において、プロセッサ２４は、案内できる駐車スペースが無いことを通知する依頼不成立信号を、通信インターフェース２１及び通信ネットワーク５を介して、依頼元端末へ送信する。
【００６４】
ステップＳ１０３において、プロセッサ２４は、駐車車両の識別情報に基づいて、当該駐車車両と関連付けられた端末を特定し、駐車スペースを譲ってもよいか否かを問い合わせる問い合わせ信号を、通信インターフェース２１及び通信ネットワーク５を介して、その特定した端末のそれぞれへ送信する。
【００６５】
ステップＳ１０４において、プロセッサ２４は、問い合わせ信号を送信してから一定期間の間に、譲渡可能信号を返信してきた端末を、駐車スペースを譲ることを依頼する依頼先端末の候補とする。
【００６６】
ステップＳ１０５において、プロセッサ２４は、依頼先端末の候補が１つ以上有るか否かを判定する。プロセッサ２４は、依頼先端末の候補が１つ以上有る場合には、ステップＳ１０６の処理に進む。一方でプロセッサ２４は、依頼先端末の候補が１つも無い場合には、ステップＳ１０２の処理に進む。
【００６７】
ステップＳ１０６において、プロセッサ２４は、依頼先端末の候補から依頼先端末を決定する。プロセッサ２４は、依頼先端末の候補が１つであった場合には、その候補に挙がった１つの端末を依頼先端末に設定する。一方でプロセッサ２４は、依頼先端末の候補が複数有った場合には、候補に挙がった端末と関連付けられた駐車車両のなかで、依頼元車両と最も近い位置に駐車している駐車車両を依頼先車両として特定する。そしてプロセッサ２４は、その依頼先車両と関連付けられた端末を依頼先端末に設定する。
【００６８】
ステップ１０７において、プロセッサ２４は、依頼先端末から返信された譲渡可能信号に含まれる依頼先車両の駐車位置と、リクエスト信号に含まれる依頼元車両の現在位置と、ストレージ装置２２に記憶された地図情報と、に基づいて、依頼元車両が依頼先車両の駐車位置に到着する予想到着時刻を算出する。
【００６９】
ステップＳ１０８において、プロセッサ２４は、予想到着時刻までに駐車スペースを譲ることを依頼する依頼信号を、通信インターフェース２１及び通信ネットワーク５を介して、依頼先端末へ送信する。
【００７０】
ステップＳ１０９において、プロセッサ２４は、依頼信号を送信してから一定期間の間に、依頼先端末から駐車スペースを譲ってもよい旨の応諾信号を受信したか否かを判定する。プロセッサ２４は、依頼先端末から駐車スペースを譲らない旨の拒否信号を受信した場合、又は一定期間の間に依頼先端末からの返信がなかった場合には、ステップＳ１１０の処理に進む。一方でプロセッサ２４は、応諾信号を受信した場合には、ステップＳ１１１の処理に進む。
【００７１】
ステップＳ１１０において、プロセッサ２４は、ステップＳ１０６で決定した依頼先端末を、依頼先端末の候補から除外した上でステップＳ１０４の処理に戻る。
【００７２】
ステップＳ１１１において、プロセッサ２４は、ストレージ装置２２から依頼先車両の駐車位置を読み込み、その駐車位置を含む依頼成立信号を、通信インターフェース２１及び通信ネットワーク５を介して、依頼元端末へ送信する。
【００７３】
ステップＳ１１２において、プロセッサ２４は、通信ネットワーク５及び通信インターフェース２１を介して依頼先端末から移動完了信号を受信すると、依頼先端末に対応するユーザ、及び依頼元端末に対応するユーザのポイントをそれぞれストレージ装置２２から読み出し、読み出したポイントをそれぞれ更新する。
【００７４】
具体的にはプロセッサ２４は、依頼元端末に対応するユーザのポイントから、駐車スペースを譲り受けたことに対する対価の額と、手数料と、と合計に相当するポイントを減算して、依頼元端末のユーザのポイントを更新し、更新後のポイントをストレージ装置２２に記憶する。またプロセッサ２４は、依頼先端末に対応するユーザのポイントに、駐車スペースを譲ったことに対する対価の額を加算して、依頼先端末のユーザのポイントを更新し、更新後のポイントをストレージ装置２２に記憶する。
【００７５】
以上説明した本実施形態によるサーバ２（駐車スペース案内装置）は、互いに異なる車両４−１〜４−ｎと関連付けられた複数の端末３−１〜３−ｎと通信可能な通信インターフェース２１（通信部）と、複数の端末３−１〜３−ｎのそれぞれのユーザ、又は複数の端末３−１〜３−ｎと関連付けられたそれぞれの車両４−１〜４−ｎが保有する経済的価値を表す情報と、複数の端末３−１〜３−ｎと関連付けられたそれぞれの車両４−１〜４−ｎが駐車スペースに駐車しているときのその駐車スペースの位置と、を記憶するストレージ装置２２（記憶部）と、駐車スペースの案内処理を実行するプロセッサ２４（制御部）と、を備える。
【００７６】
そしてプロセッサ２４は、複数の端末３−１〜３−ｎのうちの一の端末から、駐車スペースを案内することを求めるリクエスト信号を受信したときに、複数の端末３−１〜３−ｎのうちの駐車中の車両と関連付けられた他の端末の中から、駐車スペースを譲ることを依頼する依頼先端末を決定すると共に、依頼先端末に対して駐車スペースを譲ることを依頼する依頼信号を送信するように構成される。またプロセッサ２４は、依頼先端末から駐車スペースを譲る意志を通知する応諾信号を受信したときに、一の端末に対して依頼先端末と関連付けられた依頼先車両が占有している駐車スペースの位置を含む依頼成立信号を送信するように構成される。またプロセッサ２４は、依頼先車両が占有していた駐車スペースへの駐車が可能になったことを通知する移動完了信号を受信したときに、一の端末のユーザ、又は依頼元車両が保有する経済的価値を減らすと共に、依頼先端末のユーザ、又は依頼先車両が保有する経済的価値を増やすように構成される。
【００７７】
これにより、経済的対価の支払いを条件として、駐車スペースへの案内を希望する一の端末のユーザからの依頼に基づき駐車スペースを占有している車両と関連付けられた他の端末のユーザに対して占有している駐車スペースからの移動を促すと共に、駐車スペースへの案内を希望する一の端末のユーザを、他の端末のユーザが占有していた駐車スペースに優先的に案内することができる。
また本実施形態によるプロセッサ２４は、リクエスト信号を受信したときに、他の端末に対して駐車スペースを譲ることができるか否かを問い合わせる問い合わせ信号を送信し、問い合わせ信号に対して肯定的な通知を含む譲渡可能信号を返信してきた端末と関連付けられた車両の中で、依頼元車両の目的地と最も近い場所に位置する車両と関連付けられている端末を、依頼先端末とするように、さらに構成される。
【００７８】
これにより、駐車スペースへの案内を希望する一の端末のユーザの目的地に近い駐車スペースから順に案内することができる。
【００７９】
また本実施形態によるプロセッサ２４が送信する依頼信号には、依頼先車両が占有している駐車スペースに、依頼元車両が到着する予想時刻が含まれている。そのため、他の端末のユーザは、自身の都合にあわせて駐車スペースを譲るか否かの判断を適切に行うことができる。
【００８０】
また本実施形態による駐車スペース案内方法は、駐車スペースを利用しようとする依頼元のユーザから駐車スペースの案内を希望するリクエストを受け付けたときに、駐車スペースを占有している他のユーザに対して、経済的対価を支払うことを条件にその駐車スペースからの移動を依頼し、前記依頼が成立したときに、前記依頼元のユーザを、前記他のユーザが占有していた駐車スペースに案内する。そして経済的対価の授受は、前記依頼の成立後、他のユーザが占有していた駐車スペースを、他のユーザが駐車可能な状態にしたときに行われる。
【００８１】
これにより、経済的対価の支払いを条件として、駐車スペースを利用しようとする依頼元のユーザを優先的に駐車スペースに案内することができる。
【００８２】
（第２実施形態）
次に、本発明の第２実施形態による駐車スペース案内システムについて説明する。本実施形態による駐車スペース案内システムは、駐車スペースを譲ることを依頼した依頼元のユーザが、移動依頼を行った依頼先のユーザが占有していた駐車スペースに実際に駐車できたときに、ポイントの更新を行う点で、第１実施形態と相違する。以下、その相違点を中心に説明する。
【００８３】
前述した第１実施形態による駐車スペース案内システムは、駐車スペースを譲ることを依頼された依頼先車両が駐車スペースから移動したとき、すなわちサーバ２が移動完了信号を受信したときに、ポイントの更新を行っていた。
【００８４】
しかしながら、駐車スペースを譲ることを依頼された依頼先車両が駐車スペースから移動した後、駐車スペースを譲ることを依頼したユーザがその空いた駐車スペースに駐車する前に、他車がその空いた駐車スペースに駐車してしまうことも考えられる。そうすると、前述した第１実施形態による駐車スペース案内システムのように、駐車スペースを譲ることを依頼された依頼先車両が駐車スペースから移動したときにポイントの更新を行うと、駐車スペースを譲ることを依頼した依頼元のユーザは、駐車スペースを譲ることを依頼された依頼先のユーザから駐車スペースを譲り受けることができなかったににもかかわらず、依頼先のユーザに対して経済的対価を支払ってしまうことになる。
【００８５】
そこで本実施形態では、駐車スペースを譲ることを依頼した依頼元のユーザが、移動依頼を行った依頼先のユーザが占有していた駐車スペースに実際に駐車できたときに、ポイントの更新を行うこととしたのである。図７及び図８を参照して、本実施形態による駐車スペース案内処理の詳細について説明する。
【００８６】
図７は、本実施形態による駐車スペース案内処理の動作シーケンスの一例を示す図であり、図４に示した状況において、車両４−１のドライバ、すなわち車両４−１に関連付けられた端末３−１のユーザが駐車スペースを案内してもらうことを希望し、車両４−２のドライバ、すなわち車両４−２に関連付けられた端末３−２のユーザが駐車スペースを譲る意志を示した場合の駐車スペース案内処理の流れを示すである。なお図７において、ステップＳ１からステップＳ９までは、第１実施形態と同様の処理を実施しているので、ここでは説明を省略する。
【００８７】
ステップＳ２１において、端末３−１は、端末３−１と関連付けられた車両４−１が、端末３−２と関連付けられた車両４−２が占有していた駐車スペース２０１に駐車すると、駐車が完了したことを通知する駐車完了信号をサーバ２に送信する。車両４−１が駐車スペース２０１に駐車できたか否かの判断は、例えば、受信したＧＰＳ信号に基づいて測定される端末３−１の現在位置を、車両４−１の位置として判断すればよい。
【００８８】
ステップＳ２２において、サーバ２は、駐車完了信号を受信すると、端末３−１（依頼元端末）のユーザ、及び端末３−２（依頼先端末）のユーザがそれぞれ所有するポイントを更新する。具体的にはサーバ２は、端末３−１のユーザが所有するポイントから、駐車スペースを譲り受けたことに対する対価の額と、手数料と、の合計に相当するポイントを減算する。またサーバ２は、端末３−２のユーザが所有するポイントに、駐車スペースを譲ったことに対する対価の額を加算する。
【００８９】
図８は、本実施形態による駐車スペース案内処理のうちのサーバ２に関連する処理について説明するフローチャートである。プロセッサ２４は、サーバ２がリクエスト信号を受信したときに、本ルーチンに従って、駐車スペース案内処理のうちのサーバ２に関連する処理を実行する。なお図８において、ステップＳ１０１からステップＳ１１１までは、第１実施形態と同様の処理を実施しているので、ここでは説明を省略する。
【００９０】
ステップＳ２０１において、プロセッサ２４は、通信ネットワーク５及び通信インターフェース２１を介して依頼元端末から駐車完了信号を受信すると、依頼先端末に対応するユーザ、及び依頼元端末に対応するユーザのポイントをそれぞれストレージ装置２２から読み出し、読み出したポイントをそれぞれ更新する。
【００９１】
具体的にはプロセッサ２４は、第１実施形態と同様に、依頼元端末に対応するユーザのポイントから、駐車スペースを譲り受けたことに対する対価の額と、手数料と、と合計に相当するポイントを減算して、依頼元端末のユーザのポイントを更新し、更新後のポイントをストレージ装置２２に記憶する。またプロセッサ２４は、依頼先端末に対応するユーザのポイントに、駐車スペースを譲ったことに対する対価の額を加算して、依頼先端末のユーザのポイントを更新し、更新後のポイントをストレージ装置２２に記憶する。
【００９２】
以上説明した本実施形態によるサーバ２（駐車スペース案内装置）は、第１実施形態と同様に、通信インターフェース２１（通信部）と、ストレージ装置２２（記憶部）と、プロセッサ２４（制御部）と、を備える。
【００９３】
そしてプロセッサ２４は、依頼先車両が占有していた駐車スペースに一の端末と関連付けられた依頼元車両が駐車したことを通知する駐車完了信号を受信したときに、一の端末のユーザ、又は依頼元車両が保有する経済的価値を減らすと共に、依頼先端末のユーザ、又は依頼先車両が保有する経済的価値を増やすように構成される。
【００９４】
また本実施形態による駐車スペース案内方法においては、経済的対価の授受が、駐車スペースからの移動依頼の成立後、他のユーザが占有していた駐車スペースを、他のユーザが駐車可能な状態にしたときに行われる。
【００９５】
これにより、第１実施形態と同様の効果が得られるほか、依頼先の他の端末のユーザから駐車スペースを譲り受けることができなかったににもかかわらず、依頼元の一の端末のユーザと、依頼先の他の端末のユーザと、の間で経済的対価の授受が行われるのを抑制することができる。
【００９６】
以上、本発明の実施形態について説明したが、上記実施形態は本発明の適用例の一部を示したに過ぎず、本発明の技術的範囲を上記実施形態の具体的構成に限定する趣旨ではない。
【符号の説明】
【００９７】
２    サーバ（駐車スペース案内装置）
２１    通信インターフェース
２２    ストレージ装置（記憶部）
２４    プロセッサ（制御部）
【図１】
2019212035.tif 000003
【図２】
2019212035.tif 000004
【図３】
2019212035.tif 000005
【図４】
2019212035.tif 000006
【図５】
2019212035.tif 000007
【図６】
2019212035.tif 000008
【図７】
2019212035.tif 000009
【図８】
2019212035.tif 000010